(57)【要約】【課題】簡単なモード選択操作のみによって、フラップの動作範囲を目的に応じて限定することができる空気調和機を提供する。【解決手段】フラップ１３、１４を動作させて風向を調整するフラップモータと、このフラップモータを制御してフラップの位置を目標フラップ位置に変更するコントローラとを備える。このコントローラは、予め定義された複数の風向選択位置を選択するためのリモコンと、通常モード及びフラップ動作範囲限定モードを有し、通常モードでは、選択された風向選択位置を目標フラップ位置としてフラップモータを制御する。フラップ動作範囲限定モードでは、選択される各風向選択位置にそれぞれ対応して予め設定された動作範囲限定用風向選択位置を目標フラップ位置とする。【選択図】図１
2011075168.tif 000002
【特許請求の範囲】
【請求項１】
利用側熱交換器と熱交換した空気を送風機にて吹出口から吹き出すことにより、室内の空調を行うと共に、前記吹出口からの風向を変更するフラップを設けて成る空気調和機において、
前記フラップを動作させて風向を調整するフラップ駆動手段と、該フラップ駆動手段を制御して前記フラップの位置を目標フラップ位置に変更する制御手段とを備え、
該制御手段は、予め定義された複数の風向選択位置を選択するための入力手段と、通常モード及びフラップ動作範囲限定モードを有し、
前記通常モードでは、前記入力手段により選択された風向選択位置を前記目標フラップ位置として前記フラップ駆動手段を制御すると共に、
前記フラップ動作範囲限定モードでは、前記入力手段により選択される各風向選択位置にそれぞれ対応して予め設定された動作範囲限定用風向選択位置を前記目標フラップ位置として前記フラップ駆動手段を制御することを特徴とする空気調和機。
【請求項２】
前記制御手段には、目的別に複数種類の前記フラップ動作範囲限定モードが設定され、選択可能とされていることを特徴とする請求項１に記載の空気調和機。
【請求項３】
前記フラップ動作範囲限定モードには、室内に存在する人体に吹出口からの風が直接吹き付けられることを防止するモードを含むことを特徴とする請求項２に記載の空気調和機。
【請求項４】
前記フラップ動作範囲限定モードには、前記吹出口付近に汚れが付着することを防止するモードを含むことを特徴とする請求項２に記載の空気調和機。
【請求項５】
前記フラップ動作範囲限定モードには、前記フラップを上向きの所定範囲に限定するモードを含むことを特徴とする請求項２に記載の空気調和機。
【請求項６】
前記フラップ動作範囲限定モードには、前記フラップを中間の向きの所定範囲に限定するモードを含むことを特徴とする請求項２に記載の空気調和機。
【請求項７】
前記フラップ動作範囲限定モードには、前記フラップを下向きの所定範囲に限定するモードを含むことを特徴とする請求項２に記載の空気調和機。
【発明の詳細な説明】
【技術分野】
【０００１】
本発明は利用側熱交換器と熱交換した空気を送風機により吹出口から吹き出すことにより、室内（被調和室）の冷房、及び／又は、暖房を行うと共に、吹出口からの風向をフラップにて変更する空気調和機に関するものである。
【背景技術】
【０００２】
従来より室内（被調和室内）の冷房や暖房、或いは、除湿などの空調は、例えば圧縮機、凝縮器、減圧装置及び蒸発器で構成された冷凍サイクルを有する天井埋込型空気調和機が用いられる。そして、空気調和機にて冷房運転を行う場合、圧縮機から吐出された高温高圧の冷媒ガスは、熱源側熱交換器（凝縮器）で室外にて熱を放出して凝縮し、減圧装置で減圧された後、利用側熱交換器（蒸発器）に流入し、そこで蒸発して室内より吸い込んだ空気を冷却し、吹出口より吹き出すことにより室内を冷房する。室内の空気と熱交換した冷媒は、冷媒の流路を切り替える四方切換弁を通り、圧縮機に戻るサイクルを繰り返す。
【０００３】
暖房運転時には、四方切換弁にて冷媒の流路が切り替えられて利用側熱交換器が凝縮器として作用し、熱源側熱交換器が蒸発器として作用し暖房が行われる。また、ドライ運転を行う場合、冷房運転の際と同様の冷媒の循環が形成され、利用側熱交換器の一部を蒸発器として作用させ他の部分を凝縮器として作用させる。蒸発器で空気を冷却させる際に同時に空気中の水分を凝縮させて除湿を行い、この冷却後の空気を凝縮器で加熱された空気と混ぜることにより室内の温度が変わることなくドライ運転が行われていた。
【０００４】
一方、吹出口にはフラップが設けられ、吹出口からの風向を変更可能とされている。このフラップは通常フラップモータにてその向きを上下に動作され、上下方向の風向を変更する（左右方向もフラップモータにてフラップを駆動し、変更するものもある）。この場合、リモコンからは複数の風向選択位置（フラップの向き）が選択可能とされており、マイクロコンピュータはリモコンで選択された風向選択位置を目標フラップ位置としてフラップモータを制御し、フラップを動作させていた。
【先行技術文献】
【特許文献】
【０００５】
【特許文献１】特開２０００−２３０７４５号公報
【発明の概要】
【発明が解決しようとする課題】
【０００６】
ここで、この種の空気調和機を用いた空調では、従来より吹出口からの気流（冷風或いは温風）について、特定の場所には当てたくない、或いは、逆に特定の場所のみに吹き付けたいという要望がある。例えば、吹出口からの冷風／温風を人体に直接当てると、過剰な冷感／温感を与えたり、肌の乾燥を招く問題が生じる。また、電子機器や植物に直接当てると、故障したり、枯れるという問題が発生する。
【０００７】
逆に盛夏や厳冬期に帰宅した直後や、室内の特定箇所で発熱機器を使用して作業する場合などには、人体や作業者が存在する箇所だけ優先的に冷房／暖房したいという欲求も生じる。
【０００８】
しかしながら、従来より空気調和機ではリモコンにて選択可能な風向選択位置（フラップの向き）とフラップモータにて駆動される目標フラップ位置（実際にフラップが向く方向）とは一対一対応で関連付けられている。そのため、様々なユーザーがリモコンを操作できる状況では、ユーザーや管理者にとって好ましくない向きに気流が設定されてしまう問題があった。
【０００９】
係る問題を解決するために従来では管理者が不特定多数によるリモコンの操作を禁止するなどの措置をとる場合があったが、利便性が著しく低下してしまう。また、ユーザー毎にリモコンにて選択可能な各風向選択位置に対するフラップモータの駆動ステップ数（フラップの向き）を変更する方法もあるが、各風向選択位置毎にステップ数を一々設定しなければならず、設定する際にも、或いは、もとに戻す際にも極めて煩雑となる欠点があった。
【００１０】
本発明は、係る従来の技術的課題を解決するために成されたものであり、簡単なモード選択操作のみによって、フラップの動作範囲を目的に応じて限定することができる空気調和機を提供するものである。
【課題を解決するための手段】
【００１１】
本発明の空気調和機は、利用側熱交換器と熱交換した空気を送風機にて吹出口から吹き出すことにより、室内の空調を行うと共に、吹出口からの風向を変更するフラップを設けて成るものであって、フラップを動作させて風向を調整するフラップ駆動手段と、このフラップ駆動手段を制御してフラップの位置を目標フラップ位置に変更する制御手段とを備えており、この制御手段は、予め定義された複数の風向選択位置を選択するための入力手段と、通常モード及びフラップ動作範囲限定モードを有し、通常モードでは、入力手段により選択された風向選択位置を目標フラップ位置としてフラップ駆動手段を制御すると共に、フラップ動作範囲限定モードでは、入力手段により選択される各風向選択位置にそれぞれ対応して予め設定された動作範囲限定用風向選択位置を目標フラップ位置としてフラップ駆動手段を制御することを特徴とする。
【００１２】
請求項２の発明の空気調和機は、上記において制御手段には、目的別に複数種類のフラップ動作範囲限定モードが設定され、選択可能とされていることを特徴とする。
【００１３】
請求項３の発明の空気調和機は、上記においてフラップ動作範囲限定モードには、室内に存在する人体に吹出口からの風が直接吹き付けられることを防止するモードを含むことを特徴とする。
【００１４】
請求項４の発明の空気調和機は、請求項２においてフラップ動作範囲限定モードには、吹出口付近に汚れが付着することを防止するモードを含むことを特徴とする。
【００１５】
請求項５の発明の空気調和機は、請求項２においてフラップ動作範囲限定モードには、フラップを上向きの所定範囲に限定するモードを含むことを特徴とする。
【００１６】
請求項６の発明の空気調和機は、請求項２においてフラップ動作範囲限定モードには、フラップを中間の向きの所定範囲に限定するモードを含むことを特徴とする。
【００１７】
請求項７の発明の空気調和機は、請求項２においてフラップ動作範囲限定モードには、フラップを下向きの所定範囲に限定するモードを含むことを特徴とする。
【発明の効果】
【００１８】
本発明によれば、利用側熱交換器と熱交換した空気を送風機にて吹出口から吹き出すことにより、室内の空調を行うと共に、吹出口からの風向を変更するフラップを設けて成る空気調和機において、フラップを動作させて風向を調整するフラップ駆動手段と、このフラップ駆動手段を制御してフラップの位置を目標フラップ位置に変更する制御手段とを備えており、この制御手段は、予め定義された複数の風向選択位置を選択するための入力手段と、通常モード及びフラップ動作範囲限定モードを有し、通常モードでは、入力手段により選択された風向選択位置を目標フラップ位置としてフラップ駆動手段を制御すると共に、フラップ動作範囲限定モードでは、入力手段により選択される各風向選択位置にそれぞれ対応して予め設定された動作範囲限定用風向選択位置を目標フラップ位置としてフラップ駆動手段を制御するようにしたので、目的に応じて簡単な操作により吹出口からの冷風／温風の気流の向きを限定することができるようになる。
【００１９】
特に、請求項２の発明の如く目的別に複数種類のフラップ動作範囲限定モードを設定し、選択可能としておけば、例えば請求項３の如くフラップ動作範囲限定モードに、室内に存在する人体に吹出口からの風が直接吹き付けられることを防止するモードを設けることにより、吹出口からの気流の向きを限定して、過剰な冷感や温感、肌の乾燥を防ぐことが可能となる。
【００２０】
また、請求項４の発明の如くフラップ動作範囲限定モードに、吹出口付近に汚れが付着することを防止するモードを設けることで、吹出口からの気流の向きを限定して、当該吹出口付近への汚れの付着を抑制することが可能となる。
【００２１】
更に、請求項５の発明の如くフラップ動作範囲限定モードに、フラップを上向きの所定範囲に限定するモードを設け、又は、請求項６の発明の如くフラップを中間の向きの所定範囲に限定するモードを設け、或いは、請求項７の発明の如くフラップを下向きの所定範囲に限定するモードを設けることで、要望に応じて上向き、中間の向き、下向きの所定範囲に気流を限定することも可能となるものである。
【図面の簡単な説明】
【００２２】
【図１】本発明を適用した一実施例の空気調和機の利用側ユニットのの断面図である。
【図２】図１の空気調和機の冷媒回路図である。
【図３】図１の空気調和機の利用側ユニットの電気回路図である。
【図４】図１の空気調和機のリモコンの正面図である。
【図５】図４のリモコンのカバーを取り外した正面図である。
【図６】図１の空気調和機のフラップ制御に関する設定モードテーブルを示す図である。
【図７】図１の空気調和機の通常モードにおける目標フラップ位置を示す図である。
【図８】図１の空気調和機のフラップ制御に関するコントローラのフローチャートである。
【図９】図１の空気調和機のドラフト回避モードにおける目標フラップ位置を示す図である。
【図１０】図１の空気調和機のスマッジング回避モードにおける目標フラップ位置を示す図である。
【図１１】図１の空気調和機の上方固定モードにおける目標フラップ位置を示す図である。
【図１２】図１の空気調和機の中間固定モードにおける目標フラップ位置を示す図である。
【図１３】図１の空気調和機の下方固定モードにおける目標フラップ位置を示す図である。
【発明を実施するための形態】
【００２３】
以下、図面に基づき本発明の一実施形態を詳述する。図１は本発明を適用した空気調和機ＡＣの利用側ユニット（室内ユニット）Ａの断面図、図２は空気調和機ＡＣの冷媒回路図、図３は利用側ユニットＡの電気回路図を示している。
【００２４】
図１において、利用側ユニットＡは板金製の本体２内に二つの利用側熱交換器（室内側熱交換器）３、４と、それぞれクロスフローファンから成る二台の送風機６、７を内蔵して構成されており、室内（被調和室）１の天井面８を塞ぐように天井内部に嵌め込まれている。天井面８と略面一となる本体２の下面中央には吸込口９が形成されており、その両側方には吹出口１１、１２が形成されている。また、前記吸込口９にはフィルタ１０が取り付けられている。
【００２５】
前記利用側熱交換器３及び４は、それぞれの下端が前記吸込口９の両側に位置し、上端が吸込口９の中央上方に近接するように傾斜して配置されており、送風機６、７は各利用側熱交換器３、４と各吹出口１１、１２の間に配置される。そして、各送風機６、７が運転されると、吸込口９から室内１の空気が吸引され、各利用側熱交換器３、４内に流入する。
【００２６】
そして、利用側熱交換器３に流入して熱交換した調和空気は、送風機６にて加速され、吹出口１１から室内１に吹き出される。また、利用側熱交換器４に流入して熱交換した調和空気は、送風機７にて加速され、吹出口１２から室内１に吹き出され、これにより、室内１の空調が成される。
【００２７】
この場合、各吹出口１１、１２には風向板としてのフラップ１３、１４がそれぞれ取り付けられており、このフラップ１３、１４のフラップ位置（角度）によって調和空気の吹き出し方向（風向）が上下方向に制御される。また、利用側ユニットＡの下面には後述するリモコンからの赤外線の受信器１６が取り付けられている。
【００２８】
次に、図２において実施例の空気調和機ＡＣは、前述の如く室内１に取り付けられた天井嵌め込み型の前記利用側ユニットＡと、屋外に設置された熱源側ユニット（室外ユニット）Ｂとから成り、両者は冷媒配管２１により接続される。
【００２９】
この図において、２２はインバータにより運転能力が制御される所謂インバータ圧縮機（能力可変型の圧縮機。以下、圧縮機という。）である。圧縮機の能力可変手段としてはＡＣモータを用いた場合の周波数制御、ＤＣモータを用いた場合の電圧制御又は容量可変弁を用いた場合の吐出量制御などがある。２３は冷房／暖房運転時の冷媒の流れを切り換えるための四方切換弁、２４は熱源側熱交換器（室外側熱交換器）、２５は電動膨張弁、２６、２７は分流用電動膨張弁、３、４は前記利用側熱交換器、２８はアキュームレータである。
【００３０】
この場合、利用側熱交換器３は分流用電動膨張弁２６と直列に接続されると共に、利用側熱交換器４は分流用電動膨張弁２７と直列接続され、更に各直列回路が相互に並列に接続された構成とされている。
【００３１】
係る構成で圧縮機２２から吐出された冷媒は、四方切換弁２３の切り替わり位置に応じて冷房運転、暖房運転、ドライ運転の３つの運転状態に従い、流れる方向が決まる。
【００３２】
即ち、冷房運転時には、圧縮機２２から吐出された高温高圧の冷媒は、四方切換弁２３、熱源側熱交換器２４、電動膨張弁２５を経た後、分流され、一方は分流用電動膨張弁２６を経て利用側熱交換器３に、他方は分流用電動膨張弁２７を経て利用側熱交換器４に流れる。そして、各利用側熱交換器３、４を出た冷媒は合流し、四方切換弁２３、アキュームレータ２８の順序で循環する。このとき、熱源側熱交換器２４が凝縮器、各利用側熱交換器３、４が蒸発器として機能する。尚、分流用電動膨張弁２６、２７を省略しても熱交換器３、４の圧力差で自然に分流されるので、意図的な分流コントロールが必要ないときは問題ない。
【００３３】
次に、暖房運転時には、圧縮機２２から吐出された高温高圧の冷媒は、四方切換弁２３を出た後、分流され、一方は利用側熱交換器３を経て分流用電動膨張弁２６に、他方は利用側熱交換器４を経て分流用電動膨張弁２７に流される。そして、電動膨張弁２５、熱源側熱交換器２４、四方切換弁２３、アキュームレータ２８の順序で循環する。このとき、各利用側熱交換器３、４が凝縮器、熱源側熱交換器２４が蒸発器として機能する。
【００３４】
尚、ドライ運転時は前記冷房運転時の流れと同様となるが、電動膨張弁２５が全開となり、各利用側熱交換器３、４内部において前段が凝縮器、その後減圧されて後段が蒸発器として機能することにより、除湿作用を奏するよう構成されている。
【００３５】
次に、図３において、３３は汎用のマイクロコンピュータから構成されるコントローラ（コントロール基板）であり、このコントローラ３３には、室内１の温度を検出するために利用側ユニットＡに取り付けられた室温センサ３０と、入口温度センサ３４、３５と、熱交温度センサ３６、３７と、出口温度センサ３８、３９が接続されている。
【００３６】
前記入口温度センサ３４は図２に示す如く、前記冷房運転時に利用側熱交換器３の冷媒入口側となる配管に添設されており、入口温度センサ３５は同じく冷房運転時に利用側熱交換器４の冷媒入口側となる配管に添設されている。また、前記熱交温度センサ３６は利用側熱交換器３に取り付けられており、熱交温度センサ３７は利用側熱交換器４に取り付けられている。更に、出口温度センサ３８は前記冷房運転時に利用側熱交換器３の冷媒出口側となる配管に添設されており、出口温度センサ３９は同じく冷房運転時に利用側熱交換器４の冷媒出口側となる配管に添設されている。
【００３７】
また、コントローラ３３には前記フラップ１３及びフラップ１４を駆動してフラップ位置（角度：風向）を調節するステッピングモータから成るフラップモータ４１、４２が接続されると共に、前記送風機６、７を駆動するＤＣモータから成るファンモータ４３、４４が接続され、更に、センサ基板４６も接続される。このセンサ基板４６には前記受信器１６が設けられると共に、ＬＥＤから成る表示器としてのランプ４６Ａ〜４６Ｄも設けられている。尚、ランプ４６Ａは後述する送風モードランプ、ランプ４６Ｂはフィルタサインランプである。
【００３８】
更に、コントローラ３３には前記分流用電動膨張弁２６及び２７を駆動して各利用側熱交換器３、４への冷媒流量（開度）を調節するステッピングモータから成る弁モータ４７、４８も接続される。そして、コントローラ３３は端子板４９からケーブルを介して熱源側ユニットＢの図示しないコントロール基板（コントローラ）に電気的に接続される。
【００３９】
次に、図４、図５を用いて実施例で使用されるリモコン５１（入力手段）の構造を説明しながら、空気調和機ＡＣの動作を説明する。リモコン５１は図４、図５に示す如く硬質合成樹脂にて構成されており、その本体５３の正面上部には表示部としての液晶表示部５４が設けられている。
【００４０】
この本体５３は開閉自在のカバー５６にて覆われており、前記液晶表示部５４の一部はこのカバー５６の窓孔５７から視認できるように構成されている。このカバー５６の窓孔５７の下側には温度設定スイッチ５８と運転／停止スイッチ５９が取り付けられると共に、その下側にはフルネルレンズＦと図示しない焦電センサから構成される人感センサ６１が取り付けられている。
【００４１】
液晶表示部５４には設定温度や後述するフラップ１３、１４の風向選択位置、フラップ制御モードなどが表示されると共に、設定温度は前記温度設定スイッチ５８の操作にて上昇・降下設定することができる。前記運転／停止スイッチ５９の操作に基づき、コントローラ３３は空気調和機ＡＣの運転・停止を行う。尚、６２は本体５４の上端部に配設された赤外線発光部である。
【００４２】
コントローラ３３は、センサ基板４６の受信器１６にてリモコン５１からの赤外線信号を受信し、当該受信した信号に基づく設定温度などのデータ、或いは利用側ユニットＡ自体に設けられたスイッチなどによる設定データと、リモコン５１内部に設けられた温度センサ（室温センサ）、前記室温センサ３０及び各温度センサ３４〜３９の出力に基づき、送風機６と送風機７のファンモータ４３、４４及びフラップモータ４１、４２の運転（駆動）を制御すると共に、端子板４９から熱源側ユニットＢに制御信号を送信して圧縮機２２や四方切換弁２３などを制御することによって、室内温度を前記設定温度に調節する。
【００４３】
一方、リモコン５１の本体５３正面の液晶表示部５４の下側には、空気調和機ＡＣの運転状態を詳細に設定するための各種スイッチが設けられる。図５において６３は運転切換スイッチであり、この運転切換スイッチ６３によって空気調和機ＡＣは前記冷房運転、暖房運転、ドライ運転に切り替えられる。尚、各運転状態の表示は液晶表示部５４にて成される。
【００４４】
また、６４、６６は前記各フラップモータ４１、４２によってフラップ１３、１４の角度をそれぞれ調節するための風向スイッチであり、この風向スイッチ６４、６６により「自動」、「セレクト」、「スイング」の３ポジションで設定が切り換えられる。コントローラ３３は「自動」に設定された場合、当該フラップ１３、１４を前記各運転状態に応じて予め設定された角度に制御する。また、「セレクト」では後述する風向選択位置Ｆ１〜Ｆ５の５段階で好みの角度に調整可能となる。更に、「スイング」では自動的にフラップ１３、１４をやはり後述する風向選択位置Ｆ１〜Ｆ５の範囲でスイング動作させる。また、この表示も液晶表示部５４に表示される。
【００４５】
６７は送風機６及び７のファンモータ４３、４４の回転数によって吹出口１１、１２から吹き出される風量を設定する風量スイッチであり、この風量スイッチ６４によって風量は「自動」、「強」、「中」、「弱」に切り替えることができる。また、この送風量も液晶表示部５４に表示される。また、６８はゾーン制御運転を実行するためのゾーンスイッチである。更に、６９はタイマ予約運転を設定するためのスイッチ群である。係る構成のリモコン５１は室内１の壁面に取り付けられ、自らに内蔵された温度センサのデータや各スイッチによるデータを赤外線にて利用側ユニットＡの受信器１６に送信する。また、人感センサ６１は室内１における人体動作を検知する。メインリモートコントローラ５１はこの人感センサ６１の検知データも同様に赤外線にて受信器１６に送信する。
【００４６】
次に、前記「セレクト」に設定されている場合の、本発明に係るフラップ１３、１４の動作範囲限定制御について図６以降を用いて詳述する。本発明の場合、コントローラ３３にはフラップ１３、１４の制御について図６の設定モードテーブルに示す通常モード（図では設定なし（フラップ動作範囲限定モードの設定がないという意味）で示す）と、ドラフト回避モード、スマッジング回避モード、上方固定モード、中間固定モード、及び、下方固定モードの５種類のフラップ動作範囲限定モードから成る計６種類のフラップ制御モードが予め設定されている。
【００４７】
また、リモコン５１（入力手段）によって選択可能なフラップ１３、１４の風向選択位置（上下方向における指向方向）は、実施例の場合、Ｆ１〜Ｆ５まで計５つの位置（５段階）が予め定義されており、通常モードにおいては、各風向選択位置Ｆ１〜Ｆ５に対応する目標フラップ位置が、図７に示す如くそれぞれ設定されている。図７では風向選択位置Ｆ１〜Ｆ５に対応する目標フラップ位置を同じくＦ１〜Ｆ５で示し、各目標フラップ位置Ｆ１〜Ｆ５は、上向きから下向きまでの範囲で、略均等に割り振られたかたちで設定されている。
【００４８】
次に、図８はフラップ１３、１４の制御に関するコントローラ３３のフローチャートを示している。ステップＳ１で先ず、リモコン５１による風向選択位置を目標フラップ位置とし、次に、ステップＳ２でフラップ動作範囲限定モードが設定されているか判断し、現在通常モードであり、ＮＯであればステップＳ５に進んで、目標フラップ位置からフラップ１３、１４の動作制御を実行する。
【００４９】
（１）通常モード
フラップ制御モードを切り換える場合は、リモコン５１の図示しないフラップ制御モード切換スイッチを操作するか、若しくは、運転切換スイッチ６３、風向スイッチ６４、６６等を長押しする。係る操作でコントローラ３３は液晶表示部５４をフラップ制御モードに切り換えるので、その後、例えば風向スイッチ６４、６６を用いて前述した通常モードと、ドラフト回避モード、スマッジング回避モード、上方固定モード、中間固定モード、及び、下方固定モードの５種類のフラップ動作範囲限定モードから成る計６種類のモードの何れかを選択し、フラップ制御モードを切り換える（これはユーザーや管理者のみが知り得る操作としておくことで、不特定多数による不用意なフラップ制御モードの切換を回避可能となる）。そして、コントローラ３３のフラップ制御モードがフラップ動作範囲限定モードに設定されておらず、通常モードである場合、リモコン５１の風向スイッチ６４、６６により風向選択位置Ｆ１が選択されたときは、コントローラ３３は目標フラップ位置をＦ１とし、フラップ１３、１４がこの目標フラップ位置Ｆ１に来るようにフラップモータ４１、４２を制御する。また、風向選択位置Ｆ２が選択されたときは、目標フラップ位置をＦ２とし、フラップ１３、１４がこの目標フラップ位置Ｆ２に来るようにフラップモータ４１、４２を制御する。更に、風向選択位置Ｆ３が選択されたときは、目標フラップ位置をＦ３とし、フラップ１３、１４がこの目標フラップ位置Ｆ３に来るようにフラップモータ４１、４２を制御する。更にまた、風向選択位置Ｆ４が選択されたときは、目標フラップ位置をＦ４とし、フラップ１３、１４がこの目標フラップ位置Ｆ４に来るようにフラップモータ４１、４２を制御する。また、風向選択位置Ｆ５が選択されたときは、目標フラップ位置をＦ５とし、フラップ１３、１４がこの目標フラップ位置Ｆ５に来るようにフラップモータ４１、４２を制御する（図７）。
【００５０】
即ち、通常モードでは、コントローラ３３はリモコン５１で選択された各風向選択位置Ｆ１〜Ｆ５を目標フラップ位置（Ｆ１〜Ｆ５）としてフラップモータ４１、４２を制御することになる。
【００５１】
（２）ドラフト回避モード
一方、リモコン５１の操作により、コントローラ３３のフラップ制御モードがフラップ動作範囲限定モードの一つであるドラフト回避モードに設定されている場合、コントローラ３３はステップＳ２から（ＹＥＳ）ステップＳ３に進み、図６に示す設定モードテーブルを照合する。図６のテーブルのドラフト回避モードは、室内に存在する人体に風が直接吹き付けられる可能性の高い図７の目標フラップ位置Ｆ３にならないモードであり、このドラフト回避モードでは、リモコン５１で選択される各風向選択位置Ｆ１〜Ｆ５に対応する目標フラップ位置が通常モードとは異なり、風向選択位置Ｆ１に対してはＦ１−α、Ｆ２に対してはＦ１、Ｆ３に対してＦ２、Ｆ４に対してはＦ４、Ｆ５に対してＦ５がそれぞれ対応されて予め設定され、コントローラ３３はステップＳ３でこれらを照合し、ステップＳ４で目標フラップ位置を照合した位置に設定してステップＳ５に進む。
【００５２】
即ち、ドラフト回避モードが設定された場合、リモコン５１により風向選択位置Ｆ１が選択されたときは、コントローラ３３は目標フラップ位置をＦ１−αとし、フラップ１３、１４がこの目標フラップ位置Ｆ１−αに来るようにフラップモータ４１、４２を制御する（図９）。即ち、図７の通常モードのＦ１の位置よりも上向きとなる。また、風向選択位置Ｆ２が選択されたときは、目標フラップ位置をＦ１とし、フラップ１３、１４がこの目標フラップ位置Ｆ１に来るようにフラップモータ４１、４２を制御する。更に、風向選択位置Ｆ３が選択されたときは、目標フラップ位置をＦ２とし、フラップ１３、１４がこの目標フラップ位置Ｆ２に来るようにフラップモータ４１、４２を制御する。即ち、図７の通常モードのＦ２、Ｆ３の位置よりも、一段階ずつ上向きとなる。尚、風向選択位置Ｆ４、Ｆ５が選択されたときは、通常モードと同様に目標フラップ位置をＦ４、Ｆ５とし、フラップ１３、１４がこの目標フラップ位置Ｆ４、Ｆ５に来るようにフラップモータ４１、４２を制御する（図９）。
【００５３】
即ち、このドラフト回避モードでは、コントローラ３３はリモコン５１で風向選択位置Ｆ１〜Ｆ３が選択された場合でも、フラップ１３、１４を一段階ずつ上向きとし、人体に直接風が当たる可能性の高い図７のＦ３の位置とはならないようにフラップモータ４１、４２を制御することになる。
【００５４】
（３）スマッジング回避モード
次に、リモコン５１の操作により、コントローラ３３のフラップ制御モードがフラップ動作範囲限定モードの一つであるスマッジング回避モードに設定されている場合、コントローラ３３はステップＳ２から（ＹＥＳ）ステップＳ３に進み、図６に示す設定モードテーブルを照合する。図６のテーブルのスマッジング回避モードは、吹出口１１、１２付近に汚れが付着しないように、風向が水平に近い状態である図７の目標フラップ位置Ｆ１となることを回避するモードであり、このスマッジング回避モードでは、リモコン５１で選択される各風向選択位置Ｆ１〜Ｆ５に対応する目標フラップ位置が、風向選択位置Ｆ１に対してはＦ１＋β、Ｆ２に対してはＦ２、Ｆ３に対してＦ３、Ｆ４に対してはＦ４、Ｆ５に対してＦ５がそれぞれ対応されて予め設定され、コントローラ３３はステップＳ３でこれらを照合し、ステップＳ４で目標フラップ位置を照合した位置に設定してステップＳ５に進む。
【００５５】
即ち、スマッジング回避モードが設定された場合、リモコン５１により風向選択位置Ｆ１が選択されたときは、コントローラ３３は目標フラップ位置をＦ１＋βとし、フラップ１３、１４がこの目標フラップ位置Ｆ１＋βに来るようにフラップモータ４１、４２を制御する（図１０）。即ち、図７の通常モードのＦ１の位置よりもやや下向きとなり、これにより、フラップ１３、１４が水平に近い位置となることを回避する。尚、風向選択位置Ｆ２〜Ｆ５が選択されたときは、通常モードと同様に目標フラップ位置をＦ２〜Ｆ５とし、フラップ１３、１４がこの目標フラップ位置Ｆ２〜Ｆ５に来るようにフラップモータ４１、４２を制御する（図１０）。
【００５６】
即ち、このスマッジング回避モードでは、コントローラ３３はリモコン５１で風向選択位置Ｆ１が選択された場合でも、フラップ１３、１４をやや下向きとし、水平に近い位置を回避して、吹出口１１、１２への汚れの付着を回避するようにフラップモータ４１、４２を制御することになる。
【００５７】
（４）上方固定モード
次に、リモコン５１の操作により、コントローラ３３のフラップ制御モードがフラップ動作範囲限定モードの一つである上方固定モードに設定されている場合、コントローラ３３はステップＳ２から（ＹＥＳ）ステップＳ３に進み、図６に示す設定モードテーブルを照合する。図６のテーブルの上方固定モードは、吹出口１１、１２を上向きの所定範囲（図７のＦ１〜Ｆ３の範囲）に限定するモードであり、この上方固定モードでは、リモコン５１で選択される各風向選択位置Ｆ１〜Ｆ５に対応する目標フラップ位置が、風向選択位置Ｆ１に対してはＦ１、Ｆ２に対しては（Ｆ１＋Ｆ２）／２、Ｆ３に対してはＦ２、Ｆ４に対しては（Ｆ２＋Ｆ３）／２、Ｆ５に対してはＦ３がそれぞれ対応されて予め設定され、コントローラ３３はステップＳ３でこれらを照合し、ステップＳ４で目標フラップ位置を照合した位置に設定してステップＳ５に進む。
【００５８】
即ち、上方固定モードが設定された場合、リモコン５１により風向選択位置Ｆ１が選択されたときは、コントローラ３３は目標フラップ位置をＦ１とし、フラップ１３、１４がこの目標フラップ位置Ｆ１に来るようにフラップモータ４１、４２を制御する（図１１）。また、風向選択位置Ｆ２が選択されたときは、コントローラ３３は目標フラップ位置を（Ｆ１＋Ｆ２）／２とし、フラップ１３、１４がこの目標フラップ位置Ｆ１とＦ２の中間に来るようにフラップモータ４１、４２を制御する。また、風向選択位置Ｆ３が選択されたときは、コントローラ３３は目標フラップ位置をＦ２とし、フラップ１３、１４がこの目標フラップ位置Ｆ２に来るようにフラップモータ４１、４２を制御する。また、風向選択位置Ｆ４が選択されたときは、コントローラ３３は目標フラップ位置を（Ｆ２＋Ｆ３）／２とし、フラップ１３、１４がこの目標フラップ位置Ｆ２とＦ３の中間に来るようにフラップモータ４１、４２を制御する。また、風向選択位置Ｆ５が選択されたときは、コントローラ３３は目標フラップ位置をＦ３とし、フラップ１３、１４がこの目標フラップ位置Ｆ３に来るようにフラップモータ４１、４２を制御する（図１１）。
【００５９】
即ち、この上方固定モードでは、コントローラ３３はリモコン５１で各風向選択位置Ｆ１〜Ｆ５が選択された場合でも、通常モードの場合のＦ１〜Ｆ３の範囲である全体として上向きの範囲内でフラップ１３、１４は動作され、風向を上方の所定範囲内に固定するようにフラップモータ４１、４２は制御されることになる。
【００６０】
（５）中間固定モード
次に、リモコン５１の操作により、コントローラ３３のフラップ制御モードがフラップ動作範囲限定モードの一つである中間固定モードに設定されている場合、コントローラ３３はステップＳ２から（ＹＥＳ）ステップＳ３に進み、図６に示す設定モードテーブルを照合する。図６のテーブルの中間固定モードは、吹出口１１、１２を中間の向きの所定範囲（図７のＦ２〜Ｆ４の範囲）に限定するモードであり、この中間固定モードでは、リモコン５１で選択される各風向選択位置Ｆ１〜Ｆ５に対応する目標フラップ位置が、風向選択位置Ｆ１に対してはＦ２、Ｆ２に対しては（Ｆ２＋Ｆ３）／２、Ｆ３に対してはＦ３、Ｆ４に対しては（Ｆ３＋Ｆ４）／２、Ｆ５に対してはＦ４がそれぞれ対応されて予め設定され、コントローラ３３はステップＳ３でこれらを照合し、ステップＳ４で目標フラップ位置を照合した位置に設定してステップＳ５に進む。
【００６１】
即ち、中間固定モードが設定された場合、リモコン５１により風向選択位置Ｆ１が選択されたときは、コントローラ３３は目標フラップ位置をＦ２とし、フラップ１３、１４がこの目標フラップ位置Ｆ２に来るようにフラップモータ４１、４２を制御する（図１２）。また、風向選択位置Ｆ２が選択されたときは、コントローラ３３は目標フラップ位置を（Ｆ２＋Ｆ３）／２とし、フラップ１３、１４がこの目標フラップ位置Ｆ２とＦ３の中間に来るようにフラップモータ４１、４２を制御する。また、風向選択位置Ｆ３が選択されたときは、コントローラ３３は目標フラップ位置をＦ３とし、フラップ１３、１４がこの目標フラップ位置Ｆ３に来るようにフラップモータ４１、４２を制御する。また、風向選択位置Ｆ４が選択されたときは、コントローラ３３は目標フラップ位置を（Ｆ３＋Ｆ４）／２とし、フラップ１３、１４がこの目標フラップ位置Ｆ３とＦ４の中間に来るようにフラップモータ４１、４２を制御する。また、風向選択位置Ｆ５が選択されたときは、コントローラ３３は目標フラップ位置をＦ４とし、フラップ１３、１４がこの目標フラップ位置Ｆ４に来るようにフラップモータ４１、４２を制御する（図１２）。
【００６２】
即ち、この中間固定モードでは、コントローラ３３はリモコン５１で各風向選択位置Ｆ１〜Ｆ５が選択された場合でも、通常モードの場合のＦ２〜Ｆ４の範囲である全体として中間の向きの範囲内でフラップ１３、１４は動作され、風向を中間の所定範囲内に固定するようにフラップモータ４１、４２は制御されることになる。
【００６３】
（６）下方固定モード
次に、リモコン５１の操作により、コントローラ３３のフラップ制御モードがフラップ動作範囲限定モードの一つである下方固定モードに設定されている場合、コントローラ３３はステップＳ２から（ＹＥＳ）ステップＳ３に進み、図６に示す設定モードテーブルを照合する。図６のテーブルの下方固定モードは、吹出口１１、１２を下向きの所定範囲（図７のＦ３〜Ｆ５の範囲）に限定するモードであり、この下方固定モードでは、リモコン５１で選択される各風向選択位置Ｆ１〜Ｆ５に対応する目標フラップ位置が、風向選択位置Ｆ１に対してはＦ３、Ｆ２に対しては（Ｆ３＋Ｆ４）／２、Ｆ３に対してはＦ４、Ｆ４に対しては（Ｆ４＋Ｆ５）／２、Ｆ５に対してはＦ５がそれぞれ対応されて予め設定され、コントローラ３３はステップＳ３でこれらを照合し、ステップＳ４で目標フラップ位置を照合した位置に設定してステップＳ５に進む。
【００６４】
即ち、下方固定モードが設定された場合、リモコン５１により風向選択位置Ｆ１が選択されたときは、コントローラ３３は目標フラップ位置をＦ３とし、フラップ１３、１４がこの目標フラップ位置Ｆ３に来るようにフラップモータ４１、４２を制御する（図１３）。また、風向選択位置Ｆ２が選択されたときは、コントローラ３３は目標フラップ位置を（Ｆ３＋Ｆ４）／２とし、フラップ１３、１４がこの目標フラップ位置Ｆ３とＦ４の中間に来るようにフラップモータ４１、４２を制御する。また、風向選択位置Ｆ３が選択されたときは、コントローラ３３は目標フラップ位置をＦ４とし、フラップ１３、１４がこの目標フラップ位置Ｆ４に来るようにフラップモータ４１、４２を制御する。また、風向選択位置Ｆ４が選択されたときは、コントローラ３３は目標フラップ位置を（Ｆ４＋Ｆ５）／２とし、フラップ１３、１４がこの目標フラップ位置Ｆ４とＦ５の中間に来るようにフラップモータ４１、４２を制御する。また、風向選択位置Ｆ５が選択されたときは、コントローラ３３は目標フラップ位置をＦ５とし、フラップ１３、１４がこの目標フラップ位置Ｆ５に来るようにフラップモータ４１、４２を制御する（図１３）。
【００６５】
即ち、この下方固定モードでは、コントローラ３３はリモコン５１で各風向選択位置Ｆ１〜Ｆ５が選択された場合でも、通常モードの場合のＦ３〜Ｆ５の範囲である全体として下向きの範囲内でフラップ１３、１４は動作され、風向を下向きの所定範囲内に固定するようにフラップモータ４１、４２は制御されることになる。
【００６６】
このように、本発明ではコントローラ３３の設定を、目的に応じたフラップ動作範囲限定モードに切り換えるだけで、極めて容易に吹出口１１、１２からの冷風／温風の気流の向きを限定することができるようになるものである。
【００６７】
尚、上記実施例では、リモコン５１にてフラップ１３、１４の制御モードを選択するようにしたが、それに限らず、利用側ユニットＡ自体に設けたスイッチで切り換えるようにしてもよい。また、実施例では５種類のフラップ動作範囲限定モードを採り上げたが、それに限らず、目的に応じて種々の組み合わせ（風向選択位置の組み合わせ）を採ることにより、更に多くのフラップ動作範囲限定モードを設定してもよい。
【符号の説明】
【００６８】
１    室内（被調和室）
３、４  利用側熱交換器
６、７  送風機
９  吸込口
１１、１２  吹出口
１３、１４  フラップ
２２  圧縮機
３３  コントローラ
４１、４２  フラップモータ
５１  リモコン
６４、６６  風向スイッチ
【図１】
2011075168.tif 000003
【図２】
2011075168.tif 000004
【図３】
2011075168.tif 000005
【図４】
2011075168.tif 000006
【図５】
2011075168.tif 000007
【図６】
2011075168.tif 000008
【図７】
2011075168.tif 000009
【図８】
2011075168.tif 000010
【図９】
2011075168.tif 000011
【図１０】
2011075168.tif 000012
【図１１】
2011075168.tif 000013
【図１２】
2011075168.tif 000014
【図１３】
2011075168.tif 000015